(57)【要約】【課題】制御部材を備えると共に、その制御部材に光インジケータ手段を実用的に且つ効果的に組み合わせた、自転車制御装置を提供する。【解決手段】自転車制御装置（１）であって、制御部材（４；４０；１４０）と、光源（２；２０；１２０）を含む光インジケータ手段（５）と、を備える、制御装置（１）において、前記光インジケータ手段（５）が導光体（３；３０；１３０）を含み、前記導光体（３；３０；１３０）が、前記光源（２；２０；１２０）からの光を、内部全反射の現象により、前記制御部材（４；４０；１４０）のうちの略透明な少なくとも一部に案内するように構成されていることを特徴とする、制御装置（１）。【選択図】図３
2016074418.tif 000002
【特許請求の範囲】
【請求項１】
自転車制御装置（１）であって、
制御部材（４；４０；１４０）と、
光源（２；２０；１２０）を含む光インジケータ手段（５）と、
を備える、制御装置（１）において、前記光インジケータ手段（５）が導光体（３；３０；１３０）を含み、前記導光体（３；３０；１３０）が、前記光源（２；２０；１２０）からの光を、内部全反射の現象により、前記制御部材（４；４０；１４０）のうちの略透明な少なくとも一部に案内するように構成されていることを特徴とする、制御装置（１）。
【請求項２】
請求項１に記載の制御装置（１）において、さらに、
前記制御部材（４；４０；１４０）用の支持体（８０；１４３）、
を備えており、前記光源（２；２０；１２０）が、前記支持体（８０；１４３）内に収容されている、制御装置（１）。
【請求項３】
請求項２に記載の制御装置（１）において、前記支持体（８０；１４３）が、前記光源（２；２０；１２０）と電源手段との電気接続手段、および前記光源（２；２０；１２０）に電気的に接続されて前記光源（２；２０；１２０）を制御する回路基板（６０；１６０）を含む、制御装置（１）。
【請求項４】
請求項１から３のいずれか一項に記載の制御装置（１）において、前記制御部材（４；４０；１４０）のうちの前記略透明な少なくとも一部が、その制御部材（４；４０；１４０）の厚さの大部分にわたって延在している、制御装置（１）。
【請求項５】
請求項１から４のいずれか一項に記載の制御装置（１）において、前記制御部材（４０）のうちの前記略透明な少なくとも一部が、その制御部材（４０）の全体を構成している、制御装置（１）。
【請求項６】
請求項１から５のいずれか一項に記載の制御装置（１）において、前記導光体（３０）が、前記制御部材（４０）とは別体の部材である、制御装置（１）。
【請求項７】
請求項２から６のいずれか一項に記載の制御装置（１）において、前記導光体（３０）が、前記制御部材（４；４０）用の前記支持体（８０）内に収容されている、制御装置（１）。
【請求項８】
請求項１から６のいずれか一項に記載の制御装置（１）において、前記導光体（１３０）が、前記制御部材（４；１４０）のうちの前記略透明な少なくとも一部（１４２）によって少なくとも部分的に作られている、制御装置（１）。
【請求項９】
請求項２から８のいずれか一項に記載の制御装置（１）において、前記制御部材（４０）が、前記制御部材（４０）用の前記支持体（８０）とは別体の部材として作られており、かつ、その支持体（８０）に機械的に連結している、制御装置（１）。
【請求項１０】
請求項２から８のいずれか一項に記載の制御装置（１）において、前記制御部材（１４０）が、前記制御部材（１４０）用の前記支持体（１４３）との一体品として作られている、制御装置（１）。
【請求項１１】
請求項２から１０のいずれか一項に記載の制御装置（１）において、さらに、
自転車のハンドルバーに固定的に装着されるように適合するボディ体（１８０）、
を備えており、かつ、前記制御部材（１４０）用の前記支持体（１４３）が、そのボディ体（１８０）に回動可能に連結している、制御装置（１）。
【請求項１２】
請求項１から１１のいずれか一項に記載の制御装置（１）において、さらに、
電気式のスイッチ（１１）と、
運転者による前記制御部材（４；４０；１４０）の作動時にその電気式のスイッチを作動させるように適合する、前記電気式のスイッチ（１１）の作動ヘッド（４１）と、
を備える、制御装置（１）。
【請求項１３】
請求項１２に記載の制御装置（１）において、前記制御部材（４０）が、前記作動ヘッド（４１）と固定的に接続されている、制御装置（１）。
【請求項１４】
請求項１２または１３に記載の制御装置（１）において、前記導光体（３０）が、前記作動ヘッド（４１）と前記スイッチ（１１）との間に少なくとも部分的に配置されている、制御装置（１）。
【請求項１５】
請求項１２に記載の制御装置（１）において、前記制御部材（１４０）が、前記スイッチ（１１）と固定的に接続されている、制御装置（１）。
【発明の詳細な説明】
【技術分野】
【０００１】
本発明は、概して、少なくとも１つの機械的な指令または電気的−電子的な指令を、自転車の少なくとも１つの機器、例えば、ブレーキ、電気機械式のディレイラ、サイクルコンピュータなどに与えるための、自転車制御装置に関する。
【０００２】
具体的に述べると、本発明は、光インジケータ手段（luminous indicator means）が設けられた、自転車制御装置に関する。
【背景技術】
【０００３】
公知の自転車制御装置は、１本の指又は複数本の指によって作動させることが可能な、少なくとも１つの手動作動制御部材を備えている。このような手動作動制御部材は、レバー型、すなわち、ピボット又は支点を中心とした回転運動によって作動される剛体であったり、ボタン型、すなわち、直線運動によって作動されるものであったりする。典型的に、このような手動作動制御部材は、ハンドルバーのグリップ部に固定するのに適したボディ体によって支持される。
【０００４】
少なくとも１つの電気的−電子的指令を与える制御装置の場合、前記手動作動制御部材は、ドーム形状の変形可能なダイアフラムを各自備えたマイクロスイッチタイプのそれぞれの電気式のスイッチに働きかける。スイッチを切り替えるには、それぞれの手動作動制御部材に固定された作動ヘッドが、当該手動作動制御部材の休止状態において前記変形可能なダイアフラムに面し、当該手動作動制御部材の作動状態においてその変形可能なダイアフラムを押圧することによって作用する。
【０００５】
詳細に説明すると、自転車は、典型的に、後輪に対応するリアブレーキおよび／または前輪に対応するフロントブレーキを備えている。これらのブレーキは、適切な制御装置によって制御される。公知のブレーキ制御装置は、典型的に、ハンドルバーに固定するための支持ボディ体およびブレーキレバーを備えている。ブレーキレバーは、前記支持ボディ体にピボットされており、ハンドルバー方向に引っ張られることにより、非伸縮性のケーブル（通常、シースが付いており、ボーデンケーブルと称される）を牽引してブレーキを作動させる。
【０００６】
自転車のトランスミッションシステム（motion transmission system）は、ペダルクランク軸に結合した歯車と後輪のハブに結合した歯車との間に延在するチェーンを含む。前記ペダルクランク軸の歯車および前記後輪のハブの歯車のうち、少なくとも一方が複数の歯車からなる場合には、前記トランスミッションシステムに、フロントディレイラおよび／またはリアディレイラを具備したギアシフト装置が設けられる。
【０００７】
通常、フロントディレイラを制御する制御装置は、ハンドルバーのうち、前輪のブレーキを制御するブレーキレバーが配置されている側のハンドグリップ近傍の箇所に、運転者が操作し易いように装着されており、かつ、リアディレイラを制御する制御装置は、ハンドルバーのうち、後輪のブレーキを制御するブレーキレバーが配置されている側のハンドグリップ近傍の箇所に、運転者が操作し易いように装着されている。より単純なギアシフト装置の場合には、上記の制御装置の一方のみ。
【０００８】
ディレイラの双方向駆動及びブレーキの駆動の両方を可能にする制御装置は、通常、「統合型の制御装置（integrated controls）」と称される。
【０００９】
具体的に述べると、統合型の制御装置は、ブレーキレバーを備えているのに加えて、電気機械式のディレイラを双方向に指令できるように、ブレーキレバーの背後に配置される第１のギアシフトレバーと、当該制御装置の支持ボディ体における近位側の表面に配置される第２のギアシフトレバーとを備えている。
【００１０】
本明細書および添付の特許請求の範囲では、外（側）、内（側）、上（側）、下（側）、前（側）および後（側）といった用語を、制御装置、自転車、その制御装置を構成する（装着後の休止状態での向きに向いた）部品、その自転車を構成する（装着後の休止状態での向きに向いた）部品、および自転車のハンドルバーについて、これらの幾何学的な要素／構成要素および構造的な要素／構成要素を説明する際に使用している。具体的に述べると、外側および内側といった用語は、その用語を用いる対象となる要素／構成要素を基準として使用しているので、外側の表面とは、装着後の状態においてその要素／構成要素のうちの見える部分／表面であり、内側の表面とは、装着後の状態においてその要素／構成要素のうちの隠れている部分／表面のことを意味する。
【００１１】
フロントディレイラ及び前輪のブレーキレバーを制御する制御装置をハンドルバーのうちの左側のハンドグリップ近傍に設置し、リアディレイラ及び後輪のブレーキレバーを制御する制御装置を右側のハンドグリップ近傍に設置するのが通例である。
【００１２】
上記のほかにも、単一のレバーが２つ以上の軸心周りに回転可能であり、かつ、この単一のレバーがブレーキ制御レバーの機能、シフトアップ制御レバーの機能およびシフトダウン制御レバーの機能のうちの２つ又は３つの機能を実行する制御装置が知られている。
【００１３】
また、競走用のハンドルバーとして、前方に顕著に向いた２つ又は４つのバー又は端部を有しており、これらのバー又は端部により、胴体を大きく前方に傾かせた空気力学的に高効率な姿勢を運転者が取ることを可能にする、特殊な競走用のハンドルバーが知られている。このようなハンドルバーの場合、ブレーキとギアシフト装置の両方に関して特有の制御装置が使用される。これらの制御装置は一般的にバーエンドと称され、事実、ハンドルバーの端部に収まる。これにより、運転者は、自身の姿勢を変える必要なくそれらの制御装置を容易に作動させることができる。
【００１４】
電子的サーボ支援型のギアシフト装置の場合、１つ又は２つの制御レバーが、ギヤ比を上げる指令およびギヤ比を下げる指令を与えるのに使用され得る。そして、それぞれの指令を作動するために、フロントディレイラおよび／またはリアディレイラを適切に駆動する制御電子部が備えられている。
【００１５】
電子的サーボ支援型のギアシフト装置の場合、各ディレイラは、前記チェーンを歯車間で移動させてギヤ比を変更するように運動可能なチェーンガイド要素（「ケージ」とも称される）、およびこのチェーンガイド要素を運動させるための電気機械的なアクチュエータを備える。典型的に、このアクチュエータは、前記チェーンガイド要素に対して関節接続型の平行四辺形機構、ラックシステム、ウォームねじシステムなどのリンク機構を介して接続されるモータ（典型的には、電気モータ）と、ロータ又は当該ロータの下流から前記チェーンガイド要素に至るまでの任意の可動部品についての、位置および／または速度および／または加速度のセンサとを含む。なお、この文脈で用いた技術用語とやや異なる技術用語も用いられているので注意されたい。
【００１６】
機械式のギアシフト装置の場合、上記のようなモータは設けられておらず、ギアシフト制御レバーを作動させることによって非伸縮性のケーブル（通常、シースが付いており、ボーデンケーブルと称される）を牽引することでディレイラのリンク機構を制御するようになっている。
【００１７】
本発明は、既述した全種類の制御部材に適用可能であるだけでなく、原則として、自転車の機器、例えば、ブレーキ、ディレイラ、いわゆるサイクルコンピュータ等に指令を与えるに適当なあらゆるレバーに適用可能である。
【００１８】
自転車には、例えば走行速度、ペダルクランクの回転ケイデンス（cadence of rotation）、ペダルクランクに加えられるトルク、走行地形の傾斜、運転者の心拍数などの少なくとも１つの変数についての各種センサの状態を監視する、制御電子装置（control electronics）を設けたものがある。
【００１９】
電子式のギアシフト装置の場合には、そのような制御電子装置が、上記の検出した変数
（variables）に基づいたギヤ比の自動変更や、電気式のギアシフト装置の手動制御の支援を行い得る。
【００２０】
また、自転車用の光インジケータ装置(luminous indicator device)、例えば、存在の光インジケータ（存在報知灯）(presence luminous indicators)および／または方向の光インジケータ（方向指示灯）(direction luminous indicators)等が知られている。
【００２１】
光インジケータ装置は、典型的に、自転車の前側に固定された存在のインジケータおよび／または方向のインジケータ、自転車の後側に固定された存在の光インジケータおよび／または方向の光インジケータ、ならびにそれら前側及び後側の光インジケータのオン／オフ手段を備えている。このオン／オフ手段は、自転車のハンドルバーに設けられると共に、前側及び後側の光インジケータと有線又は無線で電気的に接続されるのが通例である。
【００２２】
特許文献１には、自転車の位置を他車両又は歩行者に知らせる光インジケータ手段を備えた、自転車のブレーキの制御レバーが開示されている。好ましくは、その光インジケータ手段は、ブレーキレバーの表面上に直接固定されている。一実施形態では、その光インジケータ手段が、スナップ係合手段によってブレーキレバーの溝に固定されている。その光インジケータ手段は、少なくとも１つの発光素子を有する基板を含み、当該発光素子が透明性のカバーによって覆われている。その光インジケータ手段の電源は、ブレーキレバーに設けられている。電動アシスト自転車の場合には、そのような光インジケータ手段の電源が、自転車の車体上に設けられる。
【先行技術文献】
【特許文献】
【００２３】
【特許文献１】実用新案登録第３１６６２９５号公報
【発明の概要】
【発明が解決しようとする課題】
【００２４】
以上のような従来技術からスタートして、本発明の技術的課題は、制御部材を備えると共に、その制御部材に光インジケータ手段を実用的に且つ効果的に組み合わせた、自転車制御装置を提供することである。
【課題を解決するための手段】
【００２５】
本発明の一構成は、自転車制御装置であって、制御部材と、光源を含む光インジケータ手段とを備える制御装置において、前記光インジケータ手段が導光体を含み、前記導光体が、前記光源からの光を、内部全反射の現象により、前記制御部材のうちの略透明な少なくとも一部に案内するように構成されていることを特徴とする、制御装置に関する。
【００２６】
光源からの光を制御部材のうちの少なくとも一部に案内する導光体を使用することにより、光源の位置を制御部材側から制御装置側に移しつつ、具体的には、より実用的でより空間に余裕があり（spacious）且つ電気接続もアクセスし易い（届かせ易い）制御装置側に移すと同時に、その制御部材を効果的に光らせる（light）ことが可能となる。このようにして、本発明により、制御部材に光インジケータ手段を実用的に且つ効果的に組み合わせることができる。
【００２７】
本発明および特許請求の範囲において、「略透明」（substantially transparent）という表現は、光の大部分（好ましくは、光の１００％）が物体を通過することを可能にする物理的特性を意味する。
【００２８】
好ましくは、前記制御装置は、さらに、前記制御部材用の支持体を備えており、かつ、前記光源が、当該支持体内に収容されている。
【００２９】
有利なことに、このように光源を制御部材側から制御部材の前記支持体側に移す実施形態により、光源を、制御部材よりも空間に余裕があり且つアクセスし易い位置に収容することが可能となる。また、電気的−電子的な制御装置の場合には、支持体に既に電源および回路基板が設けられているので、そのような実施形態により、光源と電源との電気接続を（おそらく回路基板との電気接続も）大幅に簡略化することが可能となる。
【００３０】
好ましくは、前記支持体は、前記光源と電源手段との電気接続手段を含む。
【００３１】
好ましくは、前記支持体は、前記光源に電気的に接続されて当該光源を制御する回路基板を含む。
【００３２】
好ましくは、前記回路基板は、前記自転車の制御電子装置と通信する。前記回路基板と前記自転車の前記制御電子装置との通信は、無線による通信であっても、有線による通信であってもよい。
【００３３】
好ましくは、前記制御部材のうちの前記略透明な少なくとも一部は、その制御部材の厚さの大部分（より好ましくは、その厚さの全体）にわたって延在している。有利なことに、この構成によれば、制御部材のうちのそのような部分を、当該制御部材の表面だけでなく、当該制御部材の厚さの大部分又は全体にわたって光らせることができるので、より良好な明るさ（lighting）が得られる。
【００３４】
好ましい一実施形態では、前記制御部材のうちの略透明な少なくとも一部が、その制御部材の全体を構成している。
【００３５】
好ましい他の実施形態では、前記制御部材のうちの略透明な前記少なくとも一部が、その制御部材の残りの部分との一体品として形成されている。好ましくは、その制御部材の残りの部分は不透明（opaque）である。例えば、その制御部材の残りの部分は、高分子材料のマトリクスと構造繊維とを含む複合材料から作製されることができる。その高分子材料は、熱硬化性の高分子材料であっても、熱可塑性の高分子材料であってもよい。好ましくは、その構造繊維は、炭素繊維、ガラス繊維、アラミド繊維、セラミック繊維、ボロン繊維、およびその組み合わせからなるグループから選択される。炭素繊維が特に好ましい。
【００３６】
好ましくは、前記導光体は、前記光源および前記制御部材のうちの前記略透明な少なくとも一部と光学的にカップルしている。
【００３７】
好ましい一実施形態において、前記導光体は、前記制御部材とは別体の部材である。
【００３８】
好ましくは、前記導光体は、前記制御部材用の前記支持体内に収容されている。
【００３９】
好ましい他の実施形態において、前記導光体は、前記制御部材のうちの前記略透明な少なくとも一部から少なくとも部分的に作製されている。
【００４０】
好ましい一実施形態において、前記制御部材は、前記支持体とは別体の部材として作製されており、かつ、その支持体に例えばヒンジ接続等によって機械的に連結している。
【００４１】
この場合、好ましくは、前記支持体が、自転車のハンドルバーに固定的に装着されるように構成されている。
【００４２】
好ましい他の実施形態において、前記制御部材は、当該制御部材用の前記支持体との一体品として作製されている。有利なことに、この実施形態は、バーエンドタイプの制御装置用に構成することができる。
【００４３】
この実施形態において、好ましくは、前記制御装置は、さらに、自転車のハンドルバーに固定的に装着されるように構成されたボディ体を備えており、かつ、前記制御部材用の前記支持体が、そのボディ体に回動可能に連結している。この実施形態において、好ましくは、前記光源が前記支持体に収容されており、前記支持体は好ましくは前記制御部材との一体品である。この場合の実施形態において、好ましくは、前記導光体が前記制御部材のうちの前記略透明な少なくとも一部によって少なくとも部分的に作製されている。このような構成により、制御部材用の支持体が前記ボディ体に対して運動する間も、光源と導光体とが安定に光学的にカップルされた安定に状態が維持されている。具体的に述べると、運転者が制御部材を作動している間も、光源と導光体間の位置を不変に維持することができる。
【００４４】
前記制御装置は、既述した様々な制御装置のうちのどのような制御装置であってもよい。
【００４５】
好ましくは、前記制御装置は、電気的−電子的なタイプの制御装置である。一変形例として、前記制御装置は、機械的なタイプの制御装置であってもよい。
【００４６】
前記制御装置が電気的−電子的な制御装置である場合、好ましくは、その制御装置は、電気式のスイッチと当該電気式のスイッチの作動ヘッドとを備え、該作動ヘッドは、運転者による前記制御部材の作動時にその電気式のスイッチを作動させるように構成されている。
【００４７】
好ましくは、前記作動ヘッドは、前記制御部材の休止状態において前記電気式のスイッチに面し、前記制御部材の作動状態においてその電気式のスイッチを押圧することによって作用するように構成されている。
【００４８】
好ましい一実施形態において、前記制御部材は、前記作動ヘッドと接続固定されている。言い換えれば、前記制御部材は、前記作動ヘッドとの一体品であるか、あるいは、前記作動ヘッドとは別体の部材であるがまるで一体品であるかの如く一緒に動くように当該作動ヘッドと連結している。この構成によれば、運転者による前記制御部材の運動が、前記電気式のスイッチの状態の変化を引き起こすように前記作動ヘッドに伝達される。
【００４９】
好ましい一実施形態において、前記導光体は、前記作動ヘッドと前記スイッチとの間に少なくとも部分的に配置されている。
【００５０】
この場合の実施形態では、前記作動ヘッドが、略透明な材料から作製されている。また、この実施形態において、好ましくは、前記導光体が、一方の側で前記光源と光学的にカップルして、他方の側で前記作動ヘッドと光学的にカップルしており、かつ、その導光体が前記光源からの光を、前記作動ヘッドを介して前記制御部材のうちの前記略透明な少なくとも一部に案内するように構成されている。
【００５１】
好ましい他の実施形態において、前記作動ヘッドは、前記スイッチと直接相互作用するように構成されており、言い換えれば、前記導光体を介さずに前記スイッチと相互作用するように構成されている。
【００５２】
好ましい一実施形態において、前記制御部材は前記スイッチと接続固定されている。言い換えれば、前記制御部材は、前記スイッチとの一体品であるか、あるいは、前記スイッチとは別体の部材であるがまるで一体品であるかの如く一緒に動くように当該スイッチと連結している。この構成によれば、運転者による前記制御部材の運動が、前記スイッチを前記作動ヘッドと相互作用させるように又は前記スイッチを前記作動ヘッドと相互作用させないようにそのスイッチに伝達される。
【００５３】
この場合の実施形態において、好ましくは、前記スイッチは、前記制御部材と固定接続された回路基板（言い換えれば、前記制御部材との一体品であるか、あるいは、前記制御部材とは別体の部材であるがまるで一体品であるかの如く一緒に動くように当該制御部材と連結した回路基板）に実装されている。好ましくは、この回路基板は、前記支持体内に収容されている。好ましくは、その支持体は、前記制御部材との一体品として形成されている。
好ましくは、前記作動ヘッドは前記制御装置のボディ体内に収容され、そのボディ体は、前記支持体と回動可能にカップルしており、且つ自転車のハンドルバーに固定的に装着されるように構成されている。有利なことに、この実施形態は、バーエンドタイプの制御装置用に構成することができる。
【００５４】
前記制御部材は、既述した様々な制御部材のうちのどの制御部材であってもよい。
【００５５】
好ましくは、前記制御部材は、前記支持体から少なくとも部分的に突出している。
【００５６】
好ましくは、前記制御部材は、制御レバーである。
【００５７】
好ましくは、前記制御部材は、ディレイラの、少なくとも１つのギアシフト方向（シフトアップ方向および／またはシフトダウン方向）についての制御レバーである。
【００５８】
一変形例として、前記制御レバーは、ブレーキの制御レバーであってもよい。
【００５９】
代替的な一実施形態において、前記制御部材は、ボタン型であり、例えば、サイクルコンピュータの制御ボタン等である。
【００６０】
好ましくは、前記光源は、白色光タイプまたはマルチカラータイプ（例えば、ＲＧＢ（赤−緑−青）など）の、少なくとも１つのＬＥＤを有する。
【００６１】
この構成に代えて、あるいは、この構成に加えて、前記光源は、少なくとも１つの有機発光ダイオード（ＯＬＥＤ）を有し得る。
【００６２】
本発明のさらなる特徴および利点は、添付の図面を参照しながら行う一部の実施形態についての以下の詳細な説明から明らかになる。なお、後述の実施形態は、あくまでも例示に過ぎず、本発明を限定するものではない。なお、別々の形態において図示・説明される異なる構成／構成要素同士を、適宜組み合わせることも可能である。
【図面の簡単な説明】
【００６３】
【図１】本発明にかかる制御装置を概略的に示す図である。
【図２】本発明の第１の実施形態における自転車制御装置の一部を示す斜視図である。
【図３】図２の制御装置の主要な構成部品を、第１の方向からみた図である。
【図４】図２の構成部品を、第２の方向からみた図である。
【図５】本発明の第２の実施形態における自転車制御装置を示す斜視図である。
【図６】図５の制御装置を、ハンドルバーに固定するためのボディ体の一部を省略して示す他の斜視図である。
【図７】図５の制御装置を、ハンドルバーを固定するためのボディ体の一部を省略して示す側面図である。
【発明を実施するための形態】
【００６４】
以下の説明において、同一または同様の機能を有する構成要素については、図示のように同一または同様の符号を付している。
【００６５】
図１は、本発明にかかる制御装置１を概略的に示す図である。制御装置１は、制御部材４および光インジケータ（luminous indicator）手段５を備える。光インジケータ手段５は、光源２および導光体（light guide）３を含む。導光体３は、光源２からの光を、内部全反射の現象により、制御部材４のうちの略透明な材料からなる少なくとも一部に案内するように構成されている。
【００６６】
後述の説明から明らかなように、図１では導光体３を表すブロックと制御部材４を表すブロックとが２つの別個の構成要素として示されているが、本発明は、導光体３が制御部材４と少なくとも部分的に一体化した構成も包含する（例えば、図５〜図７を参照しながら後述する実施形態等を参照されたい）。
【００６７】
図２〜図４を参照する。同図には、本発明の第１の好ましい実施形態における自転車制御装置１の一部が示されている。
【００６８】
この実施形態では、制御部材４が、ディレイラ（図示せず）のギアシフトレバー４０を含む。図示のギアシフトレバー４０は、右側の制御部材であり、すなわち、運転者が右手で作動することができるように自転車のハンドルバーの右端部に接続される制御部材である。ハンドルバーの左端部に接続される制御装置に用いられるレバーの場合、そのレバーは実質的にこの右側の制御装置におけるレバーの鏡像（mirror image）となる。具体的に述べると、図示のギアシフトレバー４０は、リアディレイラのシフトダウンレバー（downward gearshift lever）である。
【００６９】
なお、本明細書の以降の説明ではシフトダウンレバーについて言及するものの、その説明内容は、自転車のその他のあらゆる制御部材、例えば、フロントディレイラ又はリアディレイラのシフトアップレバー(upward gearshift lever)、ブレーキレバー、サイクルコンピュータの作動用のボタン等にも類似の様式（当業者であれば、本明細書の説明を参酌することで明白となる様式）により適用可能である。
【００７０】
制御装置１は、電気的−電子的タイプの制御装置である。図示の例において、制御装置１は、シフトダウンレバー４０、（リアディレイラの）シフトアップレバー（図示せず）、およびサイクルコンピュータを作動させるためのボタン５０の、３つの制御部材を備えている。
【００７１】
制御部材４０、５０は、運転者が１本の指又は複数本の指によって作動させることができる。シフトダウンレバー４０とシフトアップレバーは、ピボット又は支点を中心とした回転運動によって作動させることが可能である（図３には、シフトダウンレバー４０のピボット４２が示されている）。また、作動用のボタン５０は、直線運動によって作動されるものである。
【００７２】
制御部材４０、５０は、支持体８０によって支持されている。支持体８０は、ハンドルバーのハンドグリップ部に固定されるように適合されている。支持体８０は、ハンドルバーに固定接続されている。言い換えれば、支持体８０は、ハンドルバーとまるで一体品であるかの如く一緒に動くように当該ハンドルバーに連結される。
【００７３】
好ましくは、支持体８０、シフトダウンレバー４０、シフトアップレバーおよびボタン５０は、高分子材料のマトリクスと構造繊維とを含む複合材料から作製されている（それぞれの複合材料の組成は、互いに同一であっても異なっていてもよい）。その高分子材料は、熱硬化性の高分子材料であっても、熱可塑性の高分子材料であってもよい。好ましくは、その構造繊維は、炭素繊維、ガラス繊維、アラミド繊維、セラミック繊維、ボロン繊維、およびその組み合わせからなるグループから選択される。炭素繊維が特に好ましい。
【００７４】
好ましくは、制御装置１は、シフトダウンレバー４０及びシフトアップレバーを除いて支持体８０をカバーする、例えばゴム製等の保護シース(sheath)を備える。
【００７５】
好ましくは、制御装置１は、プリント回路基板（ＰＣＢ）６０を備える。
【００７６】
回路基板６０には、３つの電気式のスイッチ１１が実装されかつ電気的に接続されている。これらの電気式のスイッチ１１は、ドーム形状の変形可能なダイアフラムを各自備えたマイクロスイッチタイプである。
【００７７】
シフトダウンレバー４０、シフトアップレバーおよび作動用のボタン５０には、前記スイッチ１１の３つのそれぞれの作動ヘッドが設けられている（なお、図面ではシフトダウンレバー４０とボタン５０の作動ヘッド４１、５１のみを示しており、シフトアップレバーに設けられた作動ヘッドについては図示していない）。これらの作動ヘッド４１，５１は、シフトダウンレバー４０、シフトアップレバー、ボタン５０との一体品であってもよいし、一体品でなくてもよい。これらの作動ヘッド４１，５１は、シフトダウンレバー４０、シフトアップレバー、作動用のボタン５０のそれぞれの休止状態(rest condition)においてスイッチ１１の前記変形可能なダイアフラムに面し、それぞれの制御部材の作動状態においてその変形可能なダイアフラムを押圧することによって作用するように構成されている。
【００７８】
光源２０は、白色光タイプの少なくとも１つのＬＥＤを有する。好ましくは、光源２０は、マルチカラータイプ、例えばＲＧＢ（赤−緑−青）タイプ等の少なくとも１つのＬＥＤを有する。
【００７９】
図２〜図４に示す実施形態において、導光体３０は、入射端３１で光源２０と光学的に
カップルして、出射端３２でシフトダウンレバー４０と光学的にカップルしている。好ましくは、導光体３０は、シフトダウンレバー４０とは別体の部材である。ただし、導光体４０は、シフトダウンレバー４０との一体品として形成されてもよい。
【００８０】
図示の例では、導光体３０のうち、前記出射端３２を含む一部が、シフトダウンレバー４０の作動ヘッド４１とこれに対応するスイッチ１１の前記変形可能なダイアフラムとの間に配置されている。シフトダウンレバー４０を作動させた際に、作動ヘッド４１によって加わる押圧をスイッチ１１の前記変形可能なダイアフラムに適切に伝達可能とするために、導光体３０の材料（あるいは、導光体３０のうち、少なくとも作動ヘッド４１とスイッチ１１の前記変形可能なダイアフラムとの間に配置される部分の材料）は、変形可能でない／屈撓しない実質的な剛体（rigid）である。好ましくは、スイッチ１１の摩耗を防ぐために、導光体３０のうち、そのスイッチ１１の前記変形可能なダイアフラムに対峙する部分に、ゴム製の半球状の突体３３が設けられている。
【００８１】
好ましくは、光源２０は、図４に示すように、シフトダウンレバー４０に対応付けられたスイッチ１１の、前記変形可能なダイアフラムの変形軸心（deformation axis）からずれている（misaligned with）。
【００８２】
導光体３０は、光源２０から発せられた光に略透明なプラスチック系材料から、少なくとも部分的に作製されている。例えば、その略透明なプラスチック系材料は、ガラス繊維、ポリ塩化ビニル（ＰＶＣ）、ポリアミド（ＰＡ）、ポリエチレン（ＰＥ）、およびその組み合わせからなるグループから選択される。
【００８３】
導光体３０は、光源２０から発せられた光を、作動ヘッド４１を通過させてシフトダウンレバー４０内部へと案内するように、内部全反射(total internal reflection)の現象を利用する当業者にとって周知の技術（材料、形状（configuration）、寸法等）に従って構成されている。 
【００８４】
好ましくは、光を伝達可能とし且つシフトダウンレバー４０を（全体又は一部が）適切に光らせる（lighting）ために、そのシフトダウンレバー４０および作動ヘッド４１が、光源２０から発せられた光について略透明なプラスチック系材料から、全体が又は少なくとも部分的に作製されている。例えば、その略透明なプラスチック系材料は、ガラス繊維、ＰＶＣ、ＰＡ、ＰＥ、およびその組み合わせからなるグループから選択される。
【００８５】
好ましくは、前記略透明なプラスチック系材料は、シフトダウンレバー４０の上面から下面にかけて、当該シフトダウンレバー４０の厚さの全体にわたって延在している。有利なことに、この構成によれば、シフトダウンレバー４０をその表面だけでなくその厚さの全体にわたって光らせることができるので、より良好な明るさ（lighting）が得られる。
【００８６】
前記略透明なプラスチック系材料は、光源２０から発せられて導光体３０によって案内された光を、シフトダウンレバー４０が全体的に（又は部分的に）光るように拡散する手段として機能する。有利なことに、このように光らせる構成により、車載制御電子装置（図示せず）によって検出される、例えば走行速度、運転者の心拍数、ギアシフト動作のシーケンス、走行地形の傾斜等の少なくとも１つの変数についての視覚表示を運転者に提供することができる。また、この視覚表示は、シフトダウンレバー４０の使用に関連付けられていても、関連付けられていなくてもよい。
【００８７】
光源２０は、回路基板６０に実装されており且つこの回路基板６０によって制御可能なように当該回路基板６０に電気的に接続されている。
【００８８】
光源２０は、さらに、例えばバッテリ等の電源（図示せず）にも電気的に接続されている。好ましくは、その電源は、回路基板６０に形成された適切な着座部に収容されている。
【００８９】
その電源は、一次電池タイプ又は充電可能なタイプのバッテリであり得て、好ましくはボタン形電池である。
【００９０】
好ましくは、回路基板６０は、ねじ９１で支持体８０に固定された収容体９０内に（好ましくは、気密に）収容されている。この構成に代えて、あるいは、この構成に加えて、回路基板６０は、当該回路基板６０を防水すると共に当該回路基板６０を塵やホコリから保護する（防塵する）プラスチックフィルムと共成形される（co-moulded）。
【００９１】
回路基板６０は、前記車載制御電子装置と通信し、例えばその制御電子装置によって検出される変数の変化等に応じて、光源２０のオン切替（switching on）を制御するように構成されている。
【００９２】
一例として、回路基板６０は、現在の速度、ギヤ比、心拍数等を示すように光源２０の電源オンを制御し、および／または、光源２０の色の変化を制御し、および／または、光源２０の点滅動作を制御し、および／または、光源２０の点滅頻度を制御し得る。
【００９３】
回路基板６０と自転車の前記制御電子装置との通信は、無線又は有線で行われ得る。後者の場合には、電気ケーブル（図示せず）を設けることが考えられる（好ましくは、この電気ケーブルには、コネクタが配設されている）。また、後者の場合、その電気ケーブルを用いて光源２０に給電するようにしてもよく、その場合には電源をなくすことができる。
【００９４】
図５〜図７を参照する。同図には、本発明の他の実施形態における自転車制御装置１が示されている。図２〜図４と同一又は同様の構成／構成要素については、対応する符号の先頭に「１」を付け足している（言い換えれば、対応する符号に１００を加算した符号を付している）。なお、この実施形態における装置１に関しては、図２〜図４を参照しながら既述した実施形態と異なる要素／構成要素のみを説明する。
【００９５】
この実施形態において、制御装置１は、バーエンドタイプの電気的−電子的な制御装置である。この制御装置は、既述したように、前方に顕著に向いた２つ又は４つのバー／突出部（appendage）を有するハンドルバーであって、これらのバー／突出部により胴体を大きく前方に傾かせた空気力学的に高効率な姿勢を運転者が取ることを可能にする特殊な競走用のハンドルバーに用いられるのが通例である。事実、バーエンド制御装置はハンドルバーの端部に収まる。これにより、運転者は、自身の姿勢を変える必要なくその制御装置を容易に作動させることができる。
【００９６】
この実施形態において、制御部材４は、ディレイラ（図示せず）のギアシフトレバー１４０を含むものとされている。具体的に述べると、図示のギアシフトレバー１４０は、リアディレイラのシフトダウンレバーとシフトアップレバーの両方を兼ねている。
【００９７】
図示のギアシフトレバー１４０は、右側の制御部材であり、すなわち、運転者が右手で作動することができるように自転車のハンドルバーの右端部に接続される制御部材である。ハンドルバーの左端部に接続される制御装置に用いられるレバーの場合、そのレバーは実質的にこの右側の制御装置におけるレバーの鏡像となる。
【００９８】
制御装置１は、自転車のハンドルバーの一部に固定されるように構成されたボディ体１８０を備える。ボディ体１８０は、略円筒である。好ましくは、ボディ体１８０は、その略円筒のボディ体から突出する筒状部（tubular portion）１８２を含む。筒状部１８２には、ハンドルバーのバー／突出部（図示せず）にカップリングするための手段が設けられている。これにより、ボディ体１８０は、自転車のハンドルバーに固定的に連結される。言い換えれば、ボディ体１８０は、ハンドルバーとまるで一体品であるかの如く一緒に動くように当該ハンドルバーに連結される。
【００９９】
好ましくは、ボディ体１８０は、高分子材料のマトリクスと構造繊維とを含む複合材料から作製されている。その高分子材料は、熱硬化性の高分子材料であっても、熱可塑性の高分子材料であってもよい。好ましくは、その構造繊維は、炭素繊維、ガラス繊維、アラミド繊維、セラミック繊維、ボロン繊維、およびその組み合わせからなるグループから選択される。炭素繊維が特に好ましい。
【０１００】
ボディ体１８０は、例えばねじ１８３等の適切なカップリング手段によって互いに連結された、２つの略円筒状のシェルを含む。
【０１０１】
これら２つのシェル間には、ギアシフトレバー１４０用の支持体を形成する略円筒状の可動部１４３が配置されている。具体的に述べると、ギアシフトレバー１４０は、その可動部１４３から突出している。好ましくは、ギアシフトレバー１４０は、その可動部１４３との一体品として形成されている。可動部１４３は、ボディ体１８０に回動可能に連結している。好ましくは、可動部１４３とギアシフトレバー１４０のうちの少なくとも一部とが、高分子材料のマトリクスと構造繊維とを含む複合材料から作製されている。
【０１０２】
好ましくは、可動部１４３には、カバー１４５付きのアクセス（access）が設けられている。カバー１４５は、当該カバー１４５を開くことで制御装置１内部を検査できるようになっている。
【０１０３】
ギアシフトレバー１４０は、運転者が１本の指又は複数本の指によってシフトアップ方向又はシフトダウン方向に作動させることが可能である。具体的に述べると、ギアシフトレバー１４０は、ボディ体１８０に対して可動部１４３を時計回り方向又は反時計回り方向に回動運動させることにより、シフトアップ方向又はシフトダウン方向に作動させることが可能である。
【０１０４】
制御装置１は、プリント回路基板（ＰＣＢ）１６０を備える。好ましくは、回路基板１６０は、例えばねじ１９１等の適切なカップリング手段で可動部１４３に固定された収容体１９０内に（好ましくは、気密に）収容されている。このようにして、回路基板１６０は、可動部１４３に接続固定されている。言い換えれば、回路基板１６０は、可動部１４３とまるで一体品であるかの如く一緒に動くように当該可動部１４３に連結されている。
【０１０５】
回路基板１６０と自転車の前記制御電子装置との通信は、無線又は有線で行われ得る。図示の実施形態において、そのような通信は、コネクタ１６２が配設された電気ケーブル１６１を介して有線で行われる。
【０１０６】
回路基板１６０には、２つの電気式のスイッチ（図示せず）が実装かつ電気的に接続されている。これら電気式のスイッチは、ドーム形状の変形可能なダイアフラムを各自備えたマイクロスイッチタイプである。これら電気式のスイッチは、ディレイラのシフトダウン指令、同じディレイラのシフトアップ指令にそれぞれ対応付けられている。
【０１０７】
制御装置１は、さらに、プッシャー１１２を備える。プッシャー１１２は、ボディ体１８０に接続固定されている。プッシャー１１２は、連結ねじ１８３でそのボディ体１８０に固定されている。プッシャー１１２は、２つのそれぞれのスイッチに対して各自アクティブな状態に設定可能である（able to be activated）２つの作動ヘッド１４１を含む。好ましくは、これらの作動ヘッド１４１には、ゴムで覆われた半球状の端部が設けられている。これらの作動ヘッド１４１は、ギアシフトレバー１４０の休止状態において前記スイッチの変形可能なダイアフラムに面し、ギアシフトレバー１４０の２種類の相対する作動状態のうちの一方（シフトダウン又はシフトアップ）においてそれぞれのスイッチのその変形可能なダイアフラムを押圧することによって作用するように構成されている。
【０１０８】
回路基板１６０は、可動部１４３の時計回り方向／反時計回り方向（言い換えれば、ギアシフトレバー１４０のシフトダウン作動状態／シフトアップ作動状態）の回転によって回路基板１６０自身もその時計回り方向／その反時計回り方向に回転するように、すなわち、２つのスイッチのうちの一方又は他方がこれに対応する作動ヘッド１４１と相互作用するように、可動部１４３と一体的に回転する。
【０１０９】
それぞれに対応する２つの作動ヘッド１４１を有する２つのスイッチは、可動部１４３の回転軸心を含む平面を基準として互いに反対側（両側）に位置している。これにより、回路基板１６０を一方の方向に回転させると２つの作動ヘッド１４１のうちの一方を２つのスイッチのうちの一方のみに対してアクティブな状態にさせることができると共に、回路基板１６０を反対の方向に回転させると２つの作動ヘッド１４１のうちの他方を２つのスイッチのうちの他方のみに対してアクティブな状態とさせることが可能となる。
【０１１０】
制御装置１は、ばね１８１を備える。ばね１８１は、実質的に輪（ring）のように形成されており、かつ、一端が可動部１４３に固定されていると共に他端がボディ体１８０に固定されている。これにより、そのばねは、ギアシフトレバー１４０のシフトダウン起動時とシフトアップ起動時（言い換えれば、可動部１４３の時計回り方向の回転時と反時計回り方向の回転時）とで２つの相対する方向に付勢されるので、運転者によるギアシフトレバー１４０の作動が終了すると可動部１４３に対して戻し力を印加し、この可動部１４３を休止位置に戻すことができる。
【０１１１】
光源１２０は、白色光タイプ、好ましくは、マルチカラータイプ、例えばＲＧＢ（赤−緑−青）タイプ等の１つ以上のＬＥＤ１２０を有する。
【０１１２】
光源１２０は、回路基板１６０に実装されており且つこの回路基板１６０によって制御可能なように当該回路基板１６０に電気的に接続されている。
【０１１３】
図５〜図７に示す実施形態において、導光体１３０は、ギアシフトレバー１４０のうちの、光源１２０から発せられた光に対して略透明なプラスチック系材料から作製された部位１４２によって形成されている。具体的に述べると、ギアシフトレバー１４０は、略透明な材料のそのような部位１４２、および（不透明な）同一材料から作製されて且つ可動部１４３として機能する部位１４４を有している。好ましくは、これら２つの部位１４２，１４４は、一体品として形成されている（例えば、共成形されている）。例えば、前記略透明なプラスチック系材料は、ガラス繊維、ＰＶＣ、ＰＡ、ＰＥ、およびその組み合わせからなるグループから選択される。
【０１１４】
好ましくは、略透明な材料の前記部位１４２は、シフトダウンレバー１４０の上面か
ら下面にかけて、当該シフトダウンレバー１４０の厚さの全体にわたって延在している。有利なことに、この構成によれば、略透明な材料の前記部位１４２をその表面だけでなくその厚さの全体にわたって光らせることができるので、より良好な明るさ（lighting）が得られる。
【０１１５】
導光体１３０は、光源１２０と光学的にカップリングしている。
【０１１６】
図５〜図７に示す実施形態において、光源１２０は、回路基板１６０のうちの、前記スイッチが設けられている表面とは反対側の表面上において、導光体１３０との高効率な光カップリングを確実に得られる位置に設置されている。
【０１１７】
回路基板１６０が可動部１４３およびギアシフトレバー１４０と一体的に動くことに加えて、光源１２０も回路基板１６０と一体的に動くことにより、光源１２０と（ギアシフトレバー１４０の前記部位１４２によって形成される）導光体１３０との間の位置が固定され、有利なことに、これにより、ギアシフトレバー１４０の動作中も光源１２０と導光体１３０との相対位置を不変に維持することができる。
【０１１８】
導光体１３０は、光源１２０から発せられた光を、ギアシフトレバー１４０の略透明な前記部位１４２のうちの少なくとも一部の内部へと案内するように、内部全反射(total internal reflection)の現象を利用する当業者にとって周知の技術に従って（材料、形状、寸法等が）構成されている。導光体１３０は、それと同時に、そのようにして案内された光を前記略透明な部位１４２のうちの所定の位置／領域から（例えば、導波体１３０内の適切な拡散手段等を利用して）出射させることが可能なように構成されている。このようにして、ギアシフトレバー１４０を部分的に光らせることができる。
【０１１９】
既述したように、有利なことに、このような発光により、車載制御電子装置（図示せず）によって検出される、例えば走行速度、運転者の心拍数、ギアシフト動作のシーケンス、走行地形の傾斜等の少なくとも１つの変数についての視覚表示を運転者に提供することができる。また、この視覚表示は、シフトダウンレバー１４０の使用に関連付けられていても、関連付けられていなくてもよい。
【０１２０】
好ましくは、上記の構成に代えて、あるいは、上記の構成に加えて、そのような明るさ（lighting）は、運転者の存在および／または自転車の走行方向を変えるという運転者の意思を第三者に知らせる手段として機能する。
【０１２１】
なお、光源１２０、回路基板１６０および光源１２０の電源に関する、さらなる構造的な特徴及び機能的な特徴については、図２〜図４に示す実施形態について述べた説明を参照されたい。
【０１２２】
進歩性を有する各種実施形態について説明してきたが、これらの実施形態には、本発明の保護範囲を逸脱することなく様々な変更を施すことが可能である。各構成要素の形状および／または寸法および／または位置および／または向きが変更されてもよい。単一の構成要素の機能が、２つ以上の構成要素によって実行されてもよいし、その逆も然りである。図面において直接接続されているもの又は直接接触しているものとして描かれている構成要素同士については、それらの間に介在する構造体が設けられてもよい。図面において直接連続するものとして描かれている工程同士については、それらの間に介在する工程が実行されてもよい。一つの図において描かれた詳細および／または一つの図もしくは一つの実施形態について説明された詳細は、それ以外の図または実施形態にも適用可能である。一つの図において描かれた詳細または同じ文脈で説明された詳細は、同じ実施形態内に、その詳細の全てが必ずしも存在していなくてもよい。また、従来技術からみて単独で又は他の構成との組合せで革新的である構成又は態様は、革新的であることが明示されているか否かにかかわらず、本質的に明示されているものとして解釈すべきである。
【０１２３】
あくまでも一例に過ぎないが、図５〜図７に示す実施形態ではプッシャー１１２を固定側部材とすると共に回路基板１６０を可動側部材としたものの、本発明は、プッシャー１１２と回路基板１６０との間に相対運動が生じる構成であれば、どのような構成にも汎用的に適用可能である。例えば、プッシャー１１２を（可動部１４３と固定接続して）可動側部材とすると共に回路基板１６０を（ボディ体１８０と固定接続して）固定側部材とした逆の解決手段を提供することも可能である。
【図１】
2016074418.tif 000003
【図２】
2016074418.tif 000004
【図３】
2016074418.tif 000005
【図４】
2016074418.tif 000006
【図５】
2016074418.tif 000007
【図６】
2016074418.tif 000008
【図７】
2016074418.tif 000009
【外国語明細書】
2016074418000001.pdf
2016074418000002.pdf
2016074418000003.pdf
2016074418000004.pdf